(57)【特許請求の範囲】
【請求項１】
着脱自在のメモリカードを装着し、このメモリカードに端末装置より有線インターフェースを介してファイルデータを読み書きする際の中継、或いは同メモリカードに無線装置より無線回線を介してファイルデータを読み書きする際の中継を行う中継装置であって、
前記無線装置の前記メモリカードへのファイルデータの書き込み終了を検出する検出手段と、
前記ファイルデータの書き込み終了が検出されると通知信号を発生し、これを前記有線インターフェースを介して前記端末装置に伝送する通知手段とを具備し、
前記端末装置は前記通知信号が伝送されると、前記メモリカードから前記有線インターフェースを介してファイル管理データを取得し、
前記通知手段で発生される通知信号は前記メモリカードが抜去されたことを前記端末装置が検出するための検出信号と同一のものを用い、前記ファイルデータの書き込み終了が検出されると、前記通知信号を前記メモリカードの装着に拘らず発生し、且つ、当該通知信号を前記有線インターフェースを構成するカード検出ピンを介して前記端末装置に伝送する
中継装置。
【請求項２】
着脱自在のメモリカードを装着し、このメモリカードに端末装置より有線インターフェースを介してファイルデータを読み書きする際の中継、或いは同メモリカードに無線装置より無線回線を介してファイルデータを読み書きする際の中継を行う中継装置であって、
前記無線装置の前記メモリカードへのアクセス開始、或いはアクセス停止を検出する検出手段と、
前記メモリカードへのアクセス開始が検出されると第１の通知信号を発生し、これを前記有線インターフェースを介して前記端末装置に伝送し、或いは前記メモリカードへのアクセス停止が検出されると第２の通知信号を発生し、これを前記有線インターフェースを介して前記端末装置に伝送する通知手段とを具備し、
前記端末装置は前記第２の通知信号が伝送されると、前記メモリカードから前記有線インターフェースを介してファイル管理データを取得し、
前記端末装置は前記第１の通知信号を受信してから前記第２の通知信号を受信するまでの間、前記メモリカードへアクセスをしない
中継装置。
【請求項３】
メモリデバイスを内蔵し、このメモリデバイスに端末装置より有線インターフェースを介してファイルデータが読み書きされ、或いは同メモリデバイスに無線装置より無線回線を介してファイルデータが読み書きされる記憶装置であって、
前記無線装置の前記メモリデバイスへのアクセス開始、或いはアクセス停止を検出する検出手段と、
前記メモリデバイスへのアクセス開始が検出されると第１の通知信号を発生し、これを前記有線インターフェースを介して前記端末装置に伝送し、或いは前記メモリデバイスへのアクセス停止が検出されると第２の通知信号を発生し、これを前記有線インターフェースを介して前記端末装置に伝送する通知手段とを具備し、
前記端末装置は前記第２の通知信号が伝送されると、前記メモリデバイスから前記有線インターフェースを介してファイル管理データを取得し、
前記端末装置は前記第１の通知信号を受信してから前記第２の通知信号を受信するまでの間、前記メモリデバイスへアクセスをしない
記憶装置。
【請求項４】
着脱自在のメモリカードを装着する中継装置、前記メモリカードに有線インターフェース及び前記中継装置を介してファイルデータを読み書きする端末装置、前記メモリカードに無線回線及び前記中継装置を介してファイルデータを読み書きする無線装置を備える記憶システムであって、
前記中継装置は、前記無線装置の前記メモリカードへのファイルデータの書き込み終了を検出する検出手段と、
前記ファイルデータの書き込み終了が検出されると通知信号を発生し、これを前記有線インターフェースを介して前記端末装置に伝送する通知手段とを具備し、
前記端末装置は前記通知信号が伝送されると、前記メモリカードから前記有線インターフェース及び前記中継装置を介してファイル管理データを取得し、
前記通知手段で発生される通知信号は前記メモリカードが抜去されたことを前記端末装置が検出するための検出信号と同一のものを用い、前記ファイルデータの書き込み終了が検出されると、当該通知信号を前記メモリカードの装着に拘らず発生し、且つ、当該通知信号を前記有線インターフェースを構成するカード検出ピンを介して前記端末装置に伝送する
記憶システム。
【請求項５】
前記中継装置は、前記無線装置の前記メモリカードへのアクセス開始、或いはアクセス停止を検出する検出手段と、前記メモリカードへのアクセス開始が検出されると第１の通知信号を発生し、これを前記有線インターフェースを介して前記端末装置に伝送し、或いは前記メモリカードへのアクセス停止が検出されると第２の通知信号を発生し、これを前記有線インターフェースを介して前記端末装置に伝送する通知手段とを具備し、
前記端末装置は前記第２の通知信号が伝送されると、前記メモリカードから前記有線インターフェースを介してファイル管理データを取得する
請求項４記載の記憶システム。
【発明の詳細な説明】
【技術分野】
【０００１】
本発明は、メモリカードを端末装置に有線インターフェースで接続すると共に無線装置に無線回線で接続するための中継装置或いは、端末装置に有線インターフェースで接続される共に無線装置に無線回線で接続される記憶装置のいずれか一方を有する記憶システムに関する。
【背景技術】
【０００２】
従来より、フラッシュメモリを内蔵するメモリカード（例えばメモリースティック（商標）、ＳＤカード（商標）等）を、端末装置に有線インターフェースで接続するか、或いは無線装置に無線回線で選択的に接続して、端末装置或いは無線装置とメモリカード間でファイルデータの読み書きを行う中継装置が開発され、それを用いた「アダプタ装置及びメモリ装置」という発明名称の公知例がある（特許文献１）。
【０００３】
図７は上記した公知例で示された中継装置を用いた記憶システムの簡略構成を示したブロック図である。この記憶システムは、メモリカードを着脱自在に装着する中継装置１、無線装置２及び端末装置３を有して構成され、中継装置１と端末装置３は有線のインターフェース５により接続され、中継装置１と無線装置２は無線回線８で接続されている。  
【０００４】
中継装置１のＲＦ機能部１１と通信制御機能部１２は、無線装置２と無線通信を行うためのＲＦ機能、およびベースバンド機能を有する。装置機能部１３は、通信制御機能部１２を制御して無線装置２との間で接続、切断処理を行う。また、装置機能部１３は、無線装置２から受信されたメモリカードに対する要求４１に対してメモリカード制御機能部１４を制御してメモリカード６からメモリデータを取得し、応答４２を構築して無線装置２に送信する。メモリカード制御機能部１４は、端末装置３と中継装置１との間における有線インターフェース５と同様のメモリカードインターフェース７を有し、端末装置３とメモリカード６との間でファイルデータを中継する。
【０００５】
無線装置２のＲＦ機能部２１と通信制御機能部２２は、中継装置１と無線通信を行うためのＲＦ機能、およびベースバンド機能を有する。ホスト機能部２３は、通信制御機能部２２を制御し、中継装置１に対して接続、切断処理を行う。また、ホスト機能部２３は、中継装置１との間でメモリデータに対する要求４１の送信、および応答４２の受信を行い、送受信されたファイルデータに対してファイルの構築処理（ファイルシステム処理）を行う。またファイルを用いたアプリケーション処理を行う。
【０００６】
端末装置３は、メモリカード制御機能部３２から中継装置１を介してメモリカード６に対してファイルデータの読み書きを行う。端末機能部３１は、読み書きされたメモリデータに対してファイルシステム処理を行い、また、ファイルを用いたアプリケーション処理を行う。以上の動作により、端末装置３から中継装置１に対して書き込まれたファイルデータが、無線装置２によって非接触、または遠隔的に読み出し可能になる。また、無線装置２から中継装置１に対して非接触、または遠隔的に書き込まれたファイルデータが端末装置３によって読み出し可能になる。
【０００７】
図８は上記した公知例で示された記憶装置を用いた記憶システムの簡略構成を示したブロック図である。本例では、記憶装置４内にメモリデバイス（フラッシュメモリ）１６が固定的に装備されている点以外の構成は、図７に示したシステムと同様であり、同様の動作を行う。
【特許文献１】特開２００４−３３４００５号公報
【発明の開示】
【発明が解決しようとする課題】
【０００８】
上記のような従来の中継装置１及び記憶装置４では、端末装置３が中継装置１に装着されたメモリカード６、或いは記憶装置４に内装されているメモリデバイス１６に対してファイルデータの読み込みを行う際に、端末装置３は、まず、ファイルシステムの初期処理として、ファイルのディレクトリ配置を示すテーブル情報(Fail Allocation Table: ＦＡＴ情報）を読み出す。さらに端末装置３からファイルを書き込む場合は、ファイルデータを書き込むと共にＦＡＴ情報を更新し、端末装置３とメモリカード６、或いはメモリデバイス１６との間でＦＡＴ情報の整合を保つ。
【０００９】
然るに、無線装置２によって前記メモリカード６、或いはメモリデバイス１６内のファイルデータおよびＦＡＴ情報が書き換えられた場合には、端末装置３はそのことを知ることができない。従って、端末装置３が持つＦＡＴ情報と、メモリカード６或いはメモリデバイス１６が持つＦＡＴ情報との整合が取れなくなり、以降、端末装置３はメモリカード６或いはメモリデバイス１６に対してファイルデータを正しく読み書きすることができなくなるという問題がある。このような状況でファイルを正しく読み書きするには、端末装置３はファイルシステム処理を再起動してＦＡＴ情報を再取得する必要がある。
【００１０】
本発明は前記事情に鑑み案出されたものであって、本発明の目的は、無線装置からのメモリカード或いはメモリデバイスに対するアクセス後も、メモリカード或いはメモリデバイスに対する端末装置からのデータの読み書きを常に正常に行うことができる中継装置及び記憶装置を提供すると共に、これら中継装置或いは記憶装置のいずれか一方を有する記憶システムを提供することにある。
【課題を解決するための手段】
【００１１】
上記目的を達成するため、本発明の中継装置は、着脱自在のメモリカードを装着し、このメモリカードに端末装置より有線インターフェースを介してファイルデータを読み書きする際の中継、或いは同メモリカードに無線装置より無線回線を介してファイルデータを読み書きする際の中継を行う中継装置であって、前記無線装置の前記メモリカードへのファイルデータの書き込み終了を検出する検出手段と、前記ファイルデータの書き込み終了が検出されると通知信号を発生し、これを前記有線インターフェースを介して前記端末装置に伝送する通知手段とを具備し、前記端末装置は前記通知信号が伝送されると、前記メモリカードから前記有線インターフェースを介してファイル管理データを取得し、前記通知手段で発生される通知信号は前記メモリカードが抜去されたことを前記端末装置が検出するための検出信号と同一のものを用い、前記ファイルデータの書き込み終了が検出されると、前記通知信号を前記メモリカードの装着に拘らず発生し、且つ、当該通知信号を前記有線インターフェースを構成するカード検出ピンを介して前記端末装置に伝送する。
【００１３】
また、本発明の中継装置は、着脱自在のメモリカードを装着し、このメモリカードに端末装置より有線インターフェースを介してファイルデータを読み書きする際の中継、或いは同メモリカードに無線装置より無線回線を介してファイルデータを読み書きする際の中継を行う中継装置であって、前記無線装置の前記メモリカードへのアクセス開始、或いはアクセス停止を検出する検出手段と、前記メモリカードへのアクセス開始が検出されると第１の通知信号を発生し、これを前記有線インターフェースを介して前記端末装置に伝送し、或いは前記メモリカードへのアクセス停止が検出されると第２の通知信号を発生し、これを前記有線インターフェースを介して前記端末装置に伝送する通知手段とを具備し、前記端末装置は前記第２の通知信号が伝送されると、前記メモリカードから前記有線インターフェースを介してファイル管理データを取得し、前記端末装置は前記第１の通知信号を受信してから前記第２の通知信号を受信するまでの間、前記メモリカードへアクセスをしない。
【００１４】
また、本発明の記憶装置は、メモリデバイスを内蔵し、このメモリデバイスに端末装置より有線インターフェースを介してファイルデータが読み書きされ、或いは同メモリデバイスに無線装置より無線回線を介してファイルデータが読み書きされる記憶装置であって、前記無線装置の前記メモリデバイスへのアクセス開始、或いはアクセス停止を検出する検出手段と、前記メモリデバイスへのアクセス開始が検出されると第１の通知信号を発生し、これを前記有線インターフェースを介して前記端末装置に伝送し、或いは前記メモリデバイスへのアクセス停止が検出されると第２の通知信号を発生し、これを前記有線インターフェースを介して前記端末装置に伝送する通知手段とを具備し、前記端末装置は前記第２の通知信号が伝送されると、前記メモリデバイスから前記有線インターフェースを介してファイル管理データを取得し、前記端末装置は前記第１の通知信号を受信してから前記第２の通知信号を受信するまでの間、前記メモリデバイスへアクセスをしない。
【００１５】
また、本発明の記憶システムは、着脱自在のメモリカードを装着する中継装置、前記メモリカードに有線インターフェース及び前記中継装置を介してファイルデータを読み書きする端末装置、前記メモリカードに無線回線及び前記中継装置を介してファイルデータを読み書きする無線装置を備える記憶システムであって、前記中継装置は、前記無線装置の前記メモリカードへのファイルデータの書き込み終了を検出する検出手段と、前記ファイルデータの書き込み終了が検出されると通知信号を発生し、これを前記有線インターフェースを介して前記端末装置に伝送する通知手段とを具備し、前記端末装置は前記通知信号が伝送されると、前記メモリカードから前記有線インターフェース及び前記中継装置を介してファイル管理データを取得し、前記通知手段で発生される通知信号は前記メモリカードが抜去されたことを前記端末装置が検出するための検出信号と同一のものを用い、前記ファイルデータの書き込み終了が検出されると、当該通知信号を前記メモリカードの装着に拘らず発生し、且つ、当該通知信号を前記有線インターフェースを構成するカード検出ピンを介して前記端末装置に伝送する。
【００１７】
また、本発明の前記中継装置は、前記無線装置の前記メモリカードへのアクセス開始、或いはアクセス停止を検出する検出手段と、前記メモリカードへのアクセス開始が検出されると第１の通知信号を発生し、これを前記有線インターフェースを介して前記端末装置に伝送し、或いは前記メモリカードへのアクセス停止が検出されると第２の通知信号を発生し、これを前記有線インターフェースを介して前記端末装置に伝送する通知手段とを具備し、前記端末装置は前記第２の通知信号が伝送されると、前記メモリカードから前記有線インターフェースを介してファイル管理データを取得する。
【発明の効果】
【００２１】
本発明によれば、記憶システムを構成する中継装置或いは記憶装置において、無線装置がメモリカードやメモリデバイスにファイルデータを書き込むことを終了したら、これを検出して端末装置に通知（通知信号）し、この通知を受けた端末装置はメモリカードやメモリデバイスからファイル管理データ（例えばＦＡＴ）を取得して、常に最新のファイル管理データを持つようにすることにより、端末装置とメモリカードやメモリデバイスとの間のファイル管理データの整合性を常に維持するようにするため、無線装置からのメモリカードやメモリデバイスに対するアクセス後も、メモリカードやメモリデバイスに対する端末装置のデータの読み書きを常に正常に行うことができる。
また、通知信号は前記メモリカードが抜去されたことを端末装置が検出するための検出信号と同一のものを用い、前記ファイルデータの書き込み終了が検出されると、この通知信号を前記メモリカードの装着に拘らず発生し、且つ、当該通知信号を前記有線インターフェースを構成する既存のカード検出ピンを介して前記端末装置に伝送することにより、メモリカードと端末装置の有線インターフェースであるピンの数を変えること無く、上記効果を得ることができる。
【発明を実施するための最良の形態】
【００２２】
記憶システムを構成する中継装置或いは記憶装置において、無線装置からのメモリカードやメモリデバイスへのアクセス後も、メモリカードやメモリデバイスに対する端末装置のデータの読み書きを常に正常に行なえるようにする目的を、無線装置がメモリカードやメモリデバイスにファイルデータを書き込むことを終了したら、これを検出して端末装置に通知（通知信号）し、この通知を受けた端末装置はメモリカードやメモリデバイスからファイル管理データ（例えばＦＡＴ）を取得して、常に最新のファイル管理データを持つようにして、端末装置とメモリカードやメモリデバイスとの間のファイル管理データの整合性を常に維持する、特に、前記通知信号は前記メモリカードが抜去されたことを端末装置が検出するための検出信号と同一のものを用い、前記ファイルデータの書き込み終了が検出されると、この通知信号を前記メモリカードの装着に拘らず発生し、且つ、当該通知信号を前記有線インターフェースを構成する既存のカード検出ピンを介して前記端末装置に伝送することによって実現した。
【実施例１】
【００２３】
図１は、本発明の第１の実施形態に係る記憶システムの構成を示したブロック図である。但し、従来例と同様の部分は同一符号を付して説明する。記憶システムは、メモリカードを着脱自在に装着する中継装置１、無線装置２及び端末装置３を有して構成され、中継装置１と端末装置３は有線のインターフェース５により接続され、中継装置１と無線装置２は無線回線８で接続されている。尚、中継装置１は例えば端末装置３に装着するメモリカードのアダプタの形態を採るものとする。
【００２４】
中継装置１は、無線装置２と無線通信を行うためのＲＦ機能を持つＲＦ機能部１１、無線装置２と無線通信を行うためのベースバンド機能を持つ通信制御機能部１２、通信制御機能部１２を制御して無線装置２との間で接続及び切断処理を行う装置機能部１３、無線装置２や端末装置３の要求に応じてメモリカード６に対してファイルデータの読み書きを行うメモリカード制御機能部１４を有し、また、装置機能部１３は本発明の要部である通知機能部１３１を備えている。
【００２５】
無線装置２は、中継装置１と無線通信を行うためのＲＦ機能を持つＲＦ機能部２１、中継装置１と無線通信を行うためのベースバンド機能を持つ通信制御機能部２２、この通信制御機能部２２を制御して中継装置１に対して接続及び切断処理を行ない、また、中継装置１との間でメモリデータに対する要求４１の送信及び応答４２の受信を行い、さらに送受信されたメモリデータに対してファイルの構築処理（ファイルシステム処理）を行うと共に、ファイルを用いたアプリケーション処理を行うホスト機能部２３を有している。
【００２６】
端末装置３は、メモリカード６に対して中継装置１を介してメモリデータの読み書きを行うメモリカード制御機能部３２、読み書きされたメモリデータに対してファイルシステム処理を行うと共に、ファイルを用いたアプリケーション処理を行う端末機能部３１を有している。
【００２７】
次に本実施形態の動作について説明する。上記構成の記憶システムでは、端末装置３から中継装置１に対して書き込まれたファイルデータが、無線装置２によって非接触、または遠隔的に読み出される。また、無線装置２から中継装置１に対して非接触、または遠隔的に書き込まれたファイルデータが端末装置３によって読み出される。その際に、中継装置１によりメモリカード６に対してファイルデータが書き込まれた後も、端末装置３がメモリカード６対してファイルデータの読み書きを常に正常に行えるようにするための機能を中継装置１の装置機能部１３に備えられている通知機能部１３１が行っている。
【００２８】
通知機能部１３１は、中継装置１の装置機能部１３に配置され、端末装置３の端末機能部３１に対して通知信号（Low-Highの電気パルス信号）を発生し、有線インターフェース５を介して送信する。端末装置３は受信された通知信号に対してファイルシステム処理の再起動を行う。また中継装置１と端末装置３との間のメモリカードインターフェースにおいて新規にピンを追加しないためには、既存のカード検出信号と同様の通知信号を用いて上記動作を行う。本実施形態ではメモリカード６としてメモリースティックが使用されている場合について述べる。
【００２９】
図２はメモリカード６と端末装置３との電気的接続を行う端子例を示した図である。メモリカード６のカード検出信号ピン６０１はＧＮＤピン６０２と接続されている。一方、端末装置３内では、カード検出信号ピン３０１は抵抗によってプルアップされて端末機能部３１と接続されている。従って、端末装置３に対して、メモリカード６が装着されていない場合は端末機能部３１に対して接続されるカード検出信号ピン３０１のレベルはハイレベルを示す。一方、端末装置３にメモリカード６が装着され各ピンが電気的に接続された場合には、カード検出信号ピン３０１のレベルはローレベルを示す。
【００３０】
このようにして端末装置３の端末機能部３１は、メモリカード６の挿抜をカード検出信号ピン３０１のレベルによって判断することができる。通常、端末機能部３１はメモリカード６の挿入を判断した場合に電源供給ピン３０２に対して電源を供給し、抜去を判断した場合には電源供給を停止する。
【００３１】
図３は中継装置１を介してメモリカード６を端末装置３に装着する場合の中継装置１及びメモリカード６の端子構成例を示した図である。中継装置１の端子構成はメモリカード６の端子構成と同様であり、カード検出信号ピン１０１は通知機能部１３１に接続されている。これにより、通知機能部１３１は、能動的にカード検出信号ピン１０１をハイレベルにすることができる。それ故、メモリカード６が抜去されなくても、端末装置３側から見てカード検出信号をハイレベルになったようでき、端末装置３に擬似的にメモリカード６が抜去されたと見せかけることができる。こうなると、端末装置３は中継装置１に対する電源供給を停止し、それに伴いカード検出信号ピン１０１は再びローレベルに変化する。これにより、端末装置３はメモリカード６が装着されたと見せかけられ、再び電源を投入する。端末装置３は再びメモリカード６が装着されたことに対して、メモリカード６からメモリデータ（ＦＡＴ）を読み込み、ファイルシステム処理を行う。
【００３２】
次に本実施形態の記憶システムの全体的な動作について図４のシーケンス図を参照して説明する。端末装置３はステップ５００で、自身、および中継装置２に電源を投入する。電源投入後、端末装置３はステップ５０１で、ファイルシステム処理の初期処理としてメモリカード６からＦＡＴ情報を取得する。ＦＡＴ情報の番地はあらかじめ端末装置３側で把握されており、メモリカード６に対して番地を指定し、所定の単位でメモリデータの読み出しを行う。このとき中継装置２は、端末装置３とメモリカード６との間でメモリデータの読み出し中継をする。
【００３３】
ＦＡＴ情報を取得した端末装置３は、メモリカード６内のディレクトリ構成、ファイルの配置を把握する。ファイルを読み出す際は、ＦＡＴ情報を参照し、ファイルを構成するメモリデータを順次取得してファイルを構築する。メモリカード６にファイルを書き込む際には、ファイルを構成するメモリデータを順次書き込むと共に、更新されたＦＡＴ情報を構成するメモリデータをメモリカード６内に書き込む。
【００３４】
無線装置２から中継装置１を経由してメモリカード６にアクセスするためには、まず無線装置２と中継装置１との間で無線通信の接続処理を行う。本実施形態においては、無線通信方式については特に限定しないが、コネクション型の無線通信方式を前提とする。無線装置２はステップ４０１で、中継装置１に対して接続を要求する。中継装置１はステップ４０２で、無線装置２に対して接続を応答する。
【００３５】
無線装置２においてもファイルシステム処理の初期処理として中継装置１を介してメモリカード６からＦＡＴ情報を取得する。中継装置１と無線装置２と間では、メモリカード６内のメモリデータをリード／ライトするための要求及び応答の書式が規定されている。本件については、無線装置２はステップ４１１で、ＦＡＴ情報の番地を指定して中継装置１に対してメモリデータのリードを要求をする。中継装置２はステップ７０１で、要求を受け、メモリカード２から所定の番地のメモリデータを読み出す。そして中継装置２はステップ４２１で、メモリデータリード応答として読み出したメモリデータを無線装置２に送信する。
【００３６】
無線装置２はＦＡＴ情報を取得してメモリカード６内のディレクトリ構成することでファイルの配置を把握する。無線装置２によるファイルのメモリカード６への書き込みは、ステップ４１２でメモリデータのライト要求を中継装置２にした後、ファイルを構成するメモリデータとＦＡＴ情報を構成するメモリデータとを順次中継装置１に転送することで行われる。中継装置１は無線装置２から発行されたメモリデータのライト要求に対して、ステップ７０２でメモリカード６にメモリデータの書き込みを行い、ステップ４２２でその成否を応答する。
【００３７】
その後、無線装置２によるメモリデータの書き込み終了の通知は切断完了時に行われる。無線装置２はファイル処理終了後、ステップ４０３で中継装置１に対して切断を要求する。これを受けて中継装置１はステップ４０４で無線装置２に切断を応答する。中継装置１は切断応答と同時に、ステップ５１０で端末装置３に対して無線装置２の切断を通知する通知信号を発生し、これを有線インターフェース５を介して端末装置３に送出する。即ち、中継装置１の通知機能部１３１は、能動的にカード検出信号ピン１０１をハイレベルして端末装置３に擬似的にメモリカード６が抜去されたと見せかける。端末装置３はこの通知信号に対して、ファイルシステム処理を再起動し、ステップ５０１でメモリカードからＦＡＴ情報を構成するメモリデータを再取得する。
【００３８】
本実施形態によれば、中継装置１がメモリカード６にデータを書き込むと、通知機能部１３１は、能動的にカード検出信号ピン１０１をハイレベルにして端末装置３に擬似的にメモリカード６が抜去されたと見せかけることにより、端末装置３はこのトリガ信号に対してファイルシステム処理を再起動してメモリカード６からＦＡＴ情報を構成するファイルデータを再取得するため、無線装置２からのメモリカード６に対するアクセス後も、メモリカード６に対するファイルデータの読み書きを常に正常に行うことができる。しかも、メモリカード６のカード検出信号ピン１０１を利用して上記通知信号を中継装置１から端末装置３に送るため、メモリカード６に新たなピンの増設を行うこと無く、上記効果を得ることができる。
【００３９】
尚、中継装置１は無線装置２に対して切断応答すると同時に、端末装置３に対して伝送する通知信号をカード検出信号と別に発生させ、これを新たに設けたピンや信号線を介して端末装置に送信し、この通知信号を受けた端末装置はファイルシステム処理を再起動してメモリカードからＦＡＴ情報を取得する構成でも、同様の効果があるが、この場合は既存のメモリカードの改造（接続ピンの増設等）などが必要になったり、中継装置１と端末装置３間に新たな信号線（破線）９を配線する必要が生じる。
【実施例２】
【００４０】
図５は、本発明の第２の実施形態に係る記憶システムの全体的な動作を説明するシーケンス図である。この場合の記憶システムの中継装置１の装置機能部１３は無線装置２がメモリデバイス１６にアクセスしている期間を端末装置３に通知する通知機能を持っている。但し、無線装置２がメモリカード６にアクセスしている期間を知らせる通知信号ＯＮ、ＯＦＦを端末装置３に伝送する信号線９（又は新たにピン又）を有している。また、本シーケンス例において通知信号はイネーブル信号である。中継装置１は無線装置２との接続完了時に通知信号をＯＮ（ハイレベル）し、切断完了時に通知信号をＯＦＦ（ローレベル）する。
【００４１】
次に本実施形態の動作について説明する。まず、ステップ５０２からステップ４０２までの処理は図４に示した第１の実施形態と同様である。中継装置１はステップ４０２で、無線装置２に接続応答を返すと共に、ステップ５１１で例えばハイレベルの通知信号ＯＮを信号線９を介して端末装置３に送る。端末装置３はこの通知信号ＯＮを受けている期間、無線装置２がメモリカード６にアクセス中でビジーであると認識し、自身がメモリカード６にアクセスすることを控える。その後、ステップ４１１からステップ４０４の処理は第１の実施形態と同じである。
【００４２】
中継装置１はステップ４０４で、無線装置２に切断応答を返すと共に、ステップ５１０でローレベルの通知信号ＯＦＦを端末装置３に送る。端末装置３はこの通知信号の立ち下
がりの検知信号をトリガ信号とすることで、ファイルシステム処理を再起動し、ステップ５０１でメモリカード６からＦＡＴ情報を構成するメモリデータを再取得する。
【００４３】
本実施形態によれば、中継装置１は無線装置２がメモリカード６へのアクセスを終了すると、端末装置３へ送信していた通知信号をローレベルにするため、これをトリガとして端末装置３はファイルシステム処理を再起動してメモリカード６からＦＡＴ情報を構成するメモリデータを再取得するため、無線装置２からのメモリカード６に対するアクセス後も、メモリカード６に対するファイルデータの読み書きを常に正常に行うことができ、第１の実施形態と同様の効果がある。また、この通知信号は、中継装置１及びメモリカード６が無線装置２からアクセスされているビジー信号として扱うことができ、端末装置３は、通知信号がハイレベルになっている場合にはビジーと判断し、メモリカード６に対してアクセスしないようにすることができる。
【実施例３】
【００４４】
図６は、本発明の第３の実施形態に係る記憶システムの構成を示したブロック図である。本実施形態の記憶システムは、記憶装置４が端末装置３に有線接続されると共に、無線装置２に無線接続されている。記憶装置４はメモリデバイス１６を内蔵し、このメモリデバイス１６へのファイルデータの読み書きを制御するメモリカード制御機能１５を有している以外は、第１の実施形態で説明した中継装置と同様の構成である。この記憶装置４を用いた記憶システムの場合、記憶装置１は無線装置２によって内部のメモリデバイス１６のファイルが書き換えられた場合に、端末装置３に対してファイルシステム処理の再起動を促すための通知手段を装置機能部１３に備え、第１又は、第２の実施形態の動作シーケンスで説明したて手順でこの通知手段を動作させることによって、第１又は、第２の実施形態と同様の効果を得ることができる。但し、この記憶システムの場合は、第１又は、第２の実施形態のいずれの動作シーケンスを採用しても、記憶装置１から通知信号を端末装置３に伝達するためのピン或いは信号線９が新たに必要になってくる。
【００４５】
尚、本発明は上記実施形態に限定されることなく、その要旨を逸脱しない範囲において、具体的な構成、機能、作用、効果において、他の種々の形態によっても実施することができる。例えば中継装置１又は記憶装置４と無線装置２間の無線方式はＢｌｕｅｔｏｏｔｈなどの各種方式が適用でき、また、赤外線などを用いた無線通信でも良い。
【図面の簡単な説明】
【００４６】
【図１】本発明の第１の実施形態に係る記憶システムの構成を示したブロック図である。
【図２】図１に示したメモリカードと端末装置との電気的接続を行う端子例を示した図である。
【図３】中継装置を介してメモリカードを端末装置に装着する場合の中継装置及びメモリカードの端子構成例を示した図である。
【図４】図１に示した記憶システムの動作手順を示したシーケンス図である。
【図５】本発明の第２の実施形態に係る記憶システムの全体的な動作を説明するシーケンス図である。
【図６】本発明の第３の実施形態に係る記憶システムの構成を示したブロック図である。
【図７】従来の中継装置を用いた記憶システムの簡略構成を示したブロック図である。
【図８】従来の記憶装置を用いた記憶システムの他の簡略構成を示したブロック図である。
【符号の説明】
【００４７】
１……中継装置、２……無線装置、３……端末装置、４……記憶装置、５……インターフェース、６……メモリカード、８……無線回線、１１、２１……ＲＦ機能部、１２、２２……通信制御機能部、１３……装置機能部、１４、１５、３２……メモリカード制御機能部、１６……メモリデバイス、２３……ホスト機能部、３１……端末機能部、１３１……通知機能部、１０１、３０１、６０１……カード検出信号ピン、６０２……ＧＮＤピン。
【図１】
0004826201.tif 000002
【図２】
0004826201.tif 000003
【図３】
0004826201.tif 000004
【図４】
0004826201.tif 000005
【図５】
0004826201.tif 000006
【図６】
0004826201.tif 000007
【図７】
0004826201.tif 000008
【図８】
0004826201.tif 000009